【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
セルラ通信ネットワーク（４００）において基地局（４１０）に接続している、チャネル状態情報（ＣＳＩ）をレポートするユーザ装置（４２０）における方法であって、
前記方法は、
グラントをＣＳＩレポートに用いられるサブフレームｎで前記基地局（４１０）から受信する工程（７０２）と、
サブフレームｎ＋ｐのサブフレーム・タイプを決定する工程（７０３）と、
前記サブフレームｎ＋ｐのサブフレーム・タイプにおけるチャネル状態を反映しているＣＳＩを前記基地局（４１０）にレポートする工程（７０４）とを有し、
ｐは変数値であることを特徴とする方法。
【請求項２】
前記ｐの値は、ゼロに等しいことを特徴とする請求項１に記載の方法。
【請求項３】
前記ｐの値は、前記セルラ通信ネットワーク（４００）と前記ユーザ装置（４２０）の両方に知られた変数値であることを特徴とする請求項１に記載の方法。
【請求項４】
前記サブフレームｎ＋ｐのサブフレーム・タイプは、２つ以上のサブフレーム・タイプの１つであり、
前記２つ以上のサブフレーム・タイプは、異なるサブフレーム・タイプの各セットと関係しており、
前記レポートする（７０４）ＣＳＩは、前記サブフレームｎ＋ｐのサブフレーム・タイプに関係する前記サブフレームのセットに属するサブフレームにおけるチャネル状態を反映していることを特徴とする請求項１乃至３のいずれか１項に記載の方法。
【請求項５】
前記サブフレームのセットを示すメッセージを前記基地局から受信する工程（７０１）をさらに有することを特徴とする請求項４に記載の方法。
【請求項６】
前記サブフレーム・タイプは、保護されたサブフレームに対応する第１のサブフレーム・タイプにより表わされ、
前記第１のサブフレーム・タイプは、隣接セルにより生じた低い干渉に合わせられた保護されたサブフレームを含むサブフレームのセットに関係していることを特徴とする請求項１乃至５のいずれか１項に記載の方法。
【請求項７】
前記サブフレーム・タイプは、保護されていないサブフレームに対応する第２のサブフレーム・タイプにより表わされ、
前記第２のサブフレーム・タイプは、保護されていないサブフレームを含むサブフレームのセットに関係しており、
前記保護されていないサブフレームは、隣接セルにより生じた低い干渉に合わせられた保護されたサブフレームの一部ではないサブフレームであることを特徴とする請求項１乃至５のいずれか１項に記載の方法。
【請求項８】
前記サブフレーム・タイプは、保護されたサブフレームに対応する第１のサブフレーム・タイプにより表わされ、
前記第１のサブフレーム・タイプは、前記基地局（４１０）からの前記メッセージにおいて保護されていることが示されたサブフレームのセットに関係していることを特徴とする請求項５に記載の方法。
【請求項９】
前記サブフレーム・タイプは、保護されていないサブフレームに対応する第２のサブフレーム・タイプにより表わされ、
前記第２のサブフレーム・タイプは、前記基地局（４１０）からの前記メッセージにおいて補完であることが示されたサブフレームのセットに関係していることを特徴とする請求項５に記載の方法。
【請求項１０】
前記サブフレームのセットは、隣接セルにより生じた低い干渉に合わせられた保護されたサブフレームのセットを含むことを特徴とする請求項４乃至９のいずれか１項に記載の方法。
【請求項１１】
前記ＣＳＩのレポート（７０４）は、非周期的であることを特徴とする請求項１乃至１０のいずれか１項に記載の方法。
【請求項１２】
セルラ通信ネットワーク（４００）に含まれている基地局（４１０）において、ユーザ装置（４２０）からチャネル状態情報（ＣＳＩ）を取得する方法であって、
前記方法は、
グラントをＣＳＩレポートに用いられるサブフレームｎで前記ユーザ装置（４２０）に提供する工程（９０１）と、
サブフレームｎ＋ｐのサブフレーム・タイプにおけるチャネル状態を反映しているＣＳＩを前記ユーザ装置（４２０）から受信する工程（９０２）とを有し、
ｐは変数値であることを特徴とする方法。
【請求項１３】
前記ｐの値はゼロに等しいことを特徴とする請求項１２に記載の方法。
【請求項１４】
前記ｐの値は、前記セルラ通信ネットワーク（４００）と前記ユーザ装置（４２０）の両方に知られた変数値であることを特徴とする請求項１２に記載の方法。
【請求項１５】
前記サブフレームｎ＋ｐのサブフレーム・タイプは、２つ以上のサブフレーム・タイプの１つであり、
前記２つ以上のサブフレーム・タイプは、異なるサブフレーム・タイプの各セットと関係しており、
前記ユーザ装置（４２０）から受信した（９０２）ＣＳＩは、前記サブフレームｎ＋ｐのサブフレーム・タイプに関係する前記サブフレームのセットに属するサブフレームにおけるチャネル状態を反映していることを特徴とする請求項１２乃至１４のいずれか１項に記載の方法。
【請求項１６】
前記サブフレームのセットを示すメッセージを前記ユーザ装置（４２０）に送信する工程（９０３）をさらに有することを特徴とする請求項１５に記載の方法。
【請求項１７】
前記サブフレーム・タイプは、保護されたサブフレームに対応する第１のサブフレーム・タイプにより表わされ、
前記第１のサブフレーム・タイプは、隣接セルにより生じた低い干渉に合わせられた保護されたサブフレームを含むサブフレームのセットに関係していることを特徴とする請求項１２乃至１６のいずれか１項に記載の方法。
【請求項１８】
前記サブフレーム・タイプは、保護されていないサブフレームに対応する第２のサブフレーム・タイプにより表わされ、
前記第２のサブフレーム・タイプは、保護されていないサブフレームを含むサブフレームのセットに関係しており、
前記保護されていないサブフレームは、隣接セルにより生じた低い干渉に合わせられた保護されたサブフレームの一部ではないサブフレームであることを特徴とする請求項１２乃至１６のいずれか１項に記載の方法。
【請求項１９】
前記サブフレーム・タイプは、保護されたサブフレームに対応する第１のサブフレーム・タイプにより表わされ、
前記第１のサブフレーム・タイプは、前記ユーザ装置（４２０）に対する前記メッセージにおいて保護されていることが示されたサブフレームのセットに関係していることを特徴とする請求項１６に記載の方法。
【請求項２０】
前記サブフレーム・タイプは、保護されていないサブフレームに対応する第２のサブフレーム・タイプにより表わされ、
前記第２のサブフレーム・タイプは、前記ユーザ装置（４２０）に対する前記メッセージにおいて補完であることが示されたサブフレームのセットに関係していることを特徴とする請求項１６に記載の方法。
【請求項２１】
前記サブフレームのセットは、隣接セルにより生じた低い干渉に合わせられた保護されたサブフレームのセットを含むことを特徴とする請求項１５乃至２０のいずれか１項に記載の方法。
【請求項２２】
前記基地局（４１０）は第１のセルにサービスを行っている低電力ノードによって表わされ、
前記第１のセルは、マクロ基地局によりサービスを受けるマクロセルにより表わされる隣接セルに含まれており、
前記第１のセルと前記マクロセルとは同じ搬送波周波数で無線リソースを共用することを特徴とする請求項１２乃至２１のいずれか１項に記載の方法。
【請求項２３】
前記基地局（４１０）はピコセルにサービスを行っているピコ基地局によって表わされ、
前記ピコセルは、マクロ基地局によりサービスを受けるマクロセルにより表わされる隣接セルに含まれており、
前記ピコセルと前記マクロセルとは同じ搬送波周波数で無線リソースを共用することを特徴とする請求項１２乃至２２のいずれか１項に記載の方法。
【請求項２４】
セルラ通信ネットワークにおいて基地局（４１０）と通信するように適合されたユーザ装置（４２０）であって、前記ユーザ装置（４２０）は前記基地局（４１０）にチャネル状態情報（ＣＳＩ）をレポートすることが可能であり、
前記ユーザ装置の構成（８００）は、
グラントをＣＳＩレポートに用いられるサブフレームｎで前記基地局（４１０）から受信し、
サブフレームｎ＋ｐのサブフレーム・タイプを決定し、
前記サブフレームｎ＋ｐのサブフレーム・タイプにおけるチャネル状態を反映しているＣＳＩを前記基地局（４１０）にレポートするように構成された処理回路（８０５）を有し、
ｐは変数値であることを特徴とするユーザ装置。
【請求項２５】
前記ｐの値は、ゼロに等しいことを特徴とする請求項２４に記載のユーザ装置。